(57)【要約】【課題】ワイヤードリモコンが消費する待機電力を削減する空気調和装置、空気調和装置用のワイヤードリモコン、及び空気調和装置の室内機を提供すること。【解決手段】実施形態の空気調和装置用のワイヤードリモコンは、使用者の操作に基づき室内機を制御する。空気調和装置用のワイヤードリモコンは、半導体スイッチと、制御部と、自己保持部と、スイッチとを持つ。半導体スイッチは、電源ラインによる電力の供給を受けて所定の時間だけ導通状態となる。制御部は、半導体スイッチを介して電力の供給を受けて動作し、ワイヤードリモコンを制御する。自己保持部は、半導体スイッチを介して電力の供給を受けて動作し、半導体スイッチが導通状態になった後に導通状態を保持する。スイッチは、半導体スイッチを非導通状態から導通状態に切り替える。制御部は、自己保持部による自己保持を解除し半導体スイッチを非導通状態に切り替える。【選択図】図１
2020091081.tif 000002
【特許請求の範囲】
【請求項１】
室内機に接続された電源ラインによって電力の供給を受けて使用者の操作に基づき室内機の動作を制御する空気調和装置用のワイヤードリモコンであって、
前記電源ラインの一方に接続され、前記電源ラインによる電力の供給の立ち上がりを受けて所定の時間だけ導通状態となる半導体スイッチと、
前記半導体スイッチを介して前記電源ラインによる電力の供給を受けて動作し、前記ワイヤードリモコンの動作を制御する制御部と、
前記半導体スイッチを介して前記電源ラインによる電力の供給を受けて動作し、前記半導体スイッチが前記電力の供給の立ち上がりを受けて導通状態になった後に前記半導体スイッチの導通状態を保持する自己保持部と、
前記半導体スイッチを非導通状態から導通状態に切り替えるスイッチと、
を備え、
前記制御部は、所定の条件が満たされた場合に、前記自己保持部による自己保持を解除することで前記半導体スイッチを非導通状態に切り替える、
空気調和装置用のワイヤードリモコン。
【請求項２】
前記ワイヤードリモコンは、前記自己保持部による自己保持を解除する前の時点における前記室内機に関する情報を記憶する不揮発性メモリ、
をさらに備える請求項１に記載の空気調和装置用のワイヤードリモコン。
【請求項３】
前記半導体スイッチに接続され、前記電源ラインによる電力の供給の立ち上がりを受けて所定の期間だけ前記半導体スイッチを導通状態にする起動補償部、
をさらに備える請求項１又は２に記載の空気調和装置用のワイヤードリモコン。
【請求項４】
前記スイッチとは、前記ワイヤードリモコンに設けられ、使用者が操作可能な、前記室内機を備える空気調和装置の運転の開始させるための運転開始スイッチであり、前記所定の条件とは、前記空気調和装置の停止からの時間経過の判定を含む、
ことを特徴とする請求項１から請求項３のいずれか一項に記載の空気調和装置用のワイヤードリモコン。
【請求項５】
前記半導体スイッチはトランジスタであって、
前記起動補償部は、前記トランジスタのベースに接続されたキャパシタを備える、
請求項３に記載の空気調和装置用のワイヤードリモコン。
【請求項６】
前記半導体スイッチは第１トランジスタであって、
前記自己保持部は、第２トランジスタ、第３トランジスタ及び第４トランジスタを備え、
前記の第２トランジスタのコレクタは抵抗を介して前記第１トランジスタのエミッタに接続され、前記第２トランジスタのエミッタは抵抗を介して前記第３トランジスタのベースに接続され、
前記第３トランジスタはエミッタ接地されており、前記第３トランジスタのコレクタは抵抗を介して前記第１トランジスタのエミッタに接続され、
前記第４トランジスタはエミッタ接地されており、前記第４トランジスタのコレクタは抵抗を介して前記第１トランジスタのベースに接続され、前記第４トランジスタのベースは抵抗を介して前記第１トランジスタのエミッタに接続され、前記第４トランジスタのベースは抵抗を介して接地される、
請求項１から請求項５のいずれか一項に記載の空気調和装置用のワイヤードリモコン。
【請求項７】
室内機に接続された電源ラインから電力の供給を受けて使用者の操作に基づき室内機の動作を制御するワイヤードリモコンを備えた空気調和装置であって、
前記ワイヤードリモコンは、前記電源ラインによる電力の供給を受けて起動し、所定の条件が満たされた場合に、前記電源ラインから供給される電力を自ら遮断して動作を停止する制御部を備え、
前記室内機は、前記制御部が動作停止状態にある場合に、前記電源ラインによる前記ワイヤードリモコンへの電力供給を停止した後に前記電源ラインによる電力供給を再開することで前記ワイヤードリモコンの制御部を起動する室内制御部、
を備える空気調和装置。
【請求項８】
前記室内制御部には、前記空気調和装置の動作を指示する外部装置が接続され、前記室内制御部は、前記制御部が動作停止状態にある場合に、前記外部装置からの指示に応じて前記電源ラインによる前記ワイヤードリモコンへの電力供給を停止した後に前記電源ラインによる電力供給を再開することで前記ワイヤードリモコンの制御部を起動する、
請求項７記載の空気調和装置。
【請求項９】
室内機からの電力の供給を受けて起動し、使用者の操作に基づき前記室内機の動作を制御するとともに所定の条件が満たされた場合に自ら動作停止状態となるワイヤードリモコンと接続される空気調和装置の室内機であって、
前記ワイヤードリモコンが動作停止状態にある場合に、前記ワイヤードリモコンへの電力供給を停止した後に電力供給を再開することで前記ワイヤードリモコンを起動する室内制御部、
を備える空気調和装置の室内機。
【請求項１０】
前記室内制御部には、前記空気調和装置の動作を指示する外部装置が接続され、前記室内制御部は、前記ワイヤードリモコンが備える制御部であって前記ワイヤードリモコンの動作を制御する制御部が動作停止状態にある場合に、前記外部装置からの指示に応じて電源ラインによる前記ワイヤードリモコンへの電力供給を停止した後に前記電源ラインによる電力供給を再開することで前記ワイヤードリモコンを起動する、
請求項９記載の空気調和装置の室内機。
【発明の詳細な説明】
【技術分野】
【０００１】
本発明の実施形態は、空気調和装置、空気調和装置用のワイヤードリモコン、及び空気調和装置の室内機に関する。
【背景技術】
【０００２】
近年の省エネ性の向上により、空気調和装置の運転中の消費電力はもとより停止中の消費電力、すなわち待機電力、の低減が望まれている。空気調和装置の停止中には、大きな電力を消費する圧縮機や室内外の送風機の運転が停止しているため、空気調和装置では極くわずかな電力しか消費していない。しかしながら、空気調和装置の場合、春や秋では長期にわたって停止状態となるため、その停止期間が長いこともあり、待機電力の削減が望まれる。
業務用の空気調和機においては、液晶やＬＥＤ（Ｌｉｇｈｔ  Ｅｍｉｔｔｉｎｇ  Ｄｉｏｄｅ）の表示部を備えたワイヤードリモコンによって操作される。このような室内機が消費する待機電力は、５０％以上がワイヤードリモコンによって消費される電力である。そこで、待機電力を削減するため、空気調和装置の停止時にワイヤードリモコンの表示部に電力を供給しないことで電力の削減を実現する方法が提案されている（特許文献１参照）。しかしながら、このようなワイヤードリモコンは、待機時であっても表示部以外のワイヤードリモコンが備える機能部への電力供給は必要としており、待機電力の低減が不十分である。
【先行技術文献】
【特許文献】
【０００３】
【特許文献１】特開２０１３−１３７１１４号公報
【発明の概要】
【発明が解決しようとする課題】
【０００４】
本発明が解決しようとする課題は、ワイヤードリモコンが消費する待機電力を削減する空気調和装置、空気調和装置用のワイヤードリモコン、及び空気調和装置の室内機を提供することである。
【課題を解決するための手段】
【０００５】
実施形態の空気調和装置用のワイヤードリモコンは、室内機に接続された電源ラインによって電力の供給を受けて使用者の操作に基づき室内機の動作を制御する。空気調和装置用のワイヤードリモコンは、半導体スイッチと、制御部と、自己保持部と、スイッチとを持つ。半導体スイッチは、前記電源ラインの一方に接続され、前記電源ラインによる電力の供給の立ち上がりを受けて所定の時間だけ導通状態となる。制御部は、前記半導体スイッチを介して前記電源ラインによる電力の供給を受けて動作し、前記ワイヤードリモコンの動作を制御する。自己保持部は、前記半導体スイッチを介して前記電源ラインによる電力の供給を受けて動作し、前記半導体スイッチが前記電力の供給の立ち上がりを受けて導通状態になった後に前記半導体スイッチの導通状態を保持する。スイッチは、前記半導体スイッチを非導通状態から導通状態に切り替える。前記制御部は、所定の条件が満たされた場合に、前記自己保持部による自己保持を解除することで前記半導体スイッチを非導通状態に切り替える。
また、実施形態の空気調和装置は、室内機に接続された電源ラインから電力の供給を受けて使用者の操作に基づき室内機の動作を制御するワイヤードリモコンを備える。このワイヤードリモコンは、前記電源ラインによる電力の供給を受けて起動し、所定の条件が満たされた場合に、前記電源ラインから供給される電力を自ら遮断して動作を停止する制御部を備え、前記室内機は、前記制御部が動作停止状態にある場合に、前記電源ラインによる前記ワイヤードリモコンへの電力供給を停止した後に前記電源ラインによる電力供給を再開することで前記ワイヤードリモコンの制御部を起動する室内制御部を備える。
さらに、実施形態の空気調和装置の室内機は、この室内機からの電力の供給を受けて起動し、使用者の操作に基づき前記室内機の動作を制御するとともに所定の条件が満たされた場合に自ら動作停止状態となるワイヤードリモコンと接続される。このワイヤードリモコンが動作停止状態にある場合に、前記ワイヤードリモコンへの電力供給を停止した後に電力供給を再開することで前記ワイヤードリモコンを起動する室内制御部を備える。
【図面の簡単な説明】
【０００６】
【図１】実施形態の空気調和装置１００のシステム構成例を示す図。
【図２】実施形態におけるワイヤードリモコン３の機能構成の一例を示す図。
【図３】実施形態におけるワイヤードリモコン３における第１トランジスタ３５、スイッチ部３６、自己保持部３７及び起動補償部３８の具体的な回路構成を示す図。
【図４】実施形態における電源２０１がＯＦＦ状態から電源２０１がＯＮ状態になった場合のワイヤードリモコン３及び電源２０１の動作を説明するタイムチャート。
【図５】実施形態における電源２０１がＯＮ状態の場合であって、省電力停止条件が満たされた場合におけるワイヤードリモコン３の動作を説明するタイムチャート。
【図６】実施形態における電源２０１がＯＮ状態である場合に、ワイヤードリモコン３がＯＦＦ状態からＯＮ状態に移行する動作を説明するタイムチャート。
【図７】実施形態における管理装置４から室内機２に運転指示が入力された場合におけるワイヤードリモコン３の動作を説明するタイムチャート。
【図８】実施形態におけるマイコン３３の機能構成の一例を示す図。
【図９】実施形態におけるワイヤードリモコン３がＯＦＦ状態からＯＮ状態に移行した後に空気調和装置１００において実行される処理の流れの一例を示すフローチャート。
【図１０】実施形態におけるワイヤードリモコン３がＯＦＦ状態に移行する処理の流れの一例を示すフローチャート。
【図１１】実施形態における室内制御部２１０が実行する処理の流れの一例を示すフローチャート。
【図１２】実施形態におけるワイヤードリモコン３の外観の一例を示す図。
【発明を実施するための形態】
【０００７】
以下、実施形態の空気調和装置、空気調和装置用のワイヤードリモコン、及び空気調和装置の室内機を、図面を参照して説明する。
【０００８】
（実施形態）
図１は、実施形態の空気調和装置１００のシステム構成例を示す図である。空気調和装置１００は、室外機１−１〜１−Ｎ（Ｎは１以上の整数。）と、室内機２−１〜２−Ｍ（ＭはＮ以上の整数。）と、ワイヤードリモコン３（以下、リモコン３ともいう。）と管理装置４とを備える。各室外機と対応する室内機が連動して動作することで冷凍サイクルを行う冷媒回路（不図示）を形成する。以下、室内機２−１〜２−Ｍを総称して室内機２といい、室外機１−１〜１−Ｎを総称して室外機１という。
各室外機１は、圧縮機、室外熱交換器、室外ファン、膨張弁等の機器（不図示）であって冷凍回路を形成する機器を備える。なお、１台の室外機につき、複数台の室内機２が接続される場合もある。  各室内機２は、室内熱交換器、室内ファン等の機器（不図示）を含み、対応する室外機１と接続されて冷媒回路を形成する。室内機２の少なくともひとつは遠隔操作装置となるリモコン３と電源線兼用のリモコン通信線２０で接続されており、このリモコン通信線２０を介して通信可能であり、さらに、室内機２の少なくともひとつは管理装置４と通信可能である。以下、簡単のため、室内機２−１がリモコン３及び管理装置４と通信可能な例で説明する。各室内機２−１〜２−Ｍは、１つの室内機通信線３０で接続されており、各室内機２は互いに通信可能である。そのため、室内機２−Ｍは、室内機２−１を介してリモコン３及び管理装置４との間で情報伝達が可能となっている。
また、室内機２−１が、上述のリモコン通信線２０を介してリモコン３にその動作電力を供給している。室外機１−１〜１−Ｎは、冷凍サイクルが接続された特定の1台の室内機２と室内外通信線１０により接続され、その室内機2と対応する室外機１が通信可能となっている。
【０００９】
リモコン３は、タッチパネルやボタン等の入力装置と、室内機２−１と通信を可能にする通信部とを含んで構成される。リモコン３は、入力装置を介してユーザの操作指示を受け付ける。リモコン３は、ユーザの操作によって入力された指示に基づいた動作を実行し、室内機２−１〜２−Ｍにその動作を指示する。室内機２−１〜２−Ｍに接続された室外機１−１〜１−Ｎは、室内機２−１〜２−Ｍを介して動作の指示を受ける。結果的にリモコン３へのユーザの操作によって入力された指示に従って、空気調和装置１００は動作する。なお、本実施形態においては、１つのリモコン３に接続されている室内機２はいずれも同じ設定内容で動作する。すなわち、１つのリモコン３に接続されているすべての室内機２の運転／停止、冷暖房等の運転モード及び設定温度は同一となる。
【００１０】
管理装置４は、管理人の事務所等に設置され、リモコン３と同じように室内機２の動作を指示することができる。具体的には、管理装置４は、室内機２の運転/停止、暖房又は冷房等の運転モード及び設定温度等の運転内容を指示する運転指示を室内機２−１に出力する。室内機２−１は、運転指示が示す指示内容をリモコン３に送信する。この指示内容を受け取ったリモコン３は、その指示内容を自らの入力装置への操作指示と同じように処理して、その指示内容をすべての室内機２に送信する。この結果、全ての室内機２は、管理装置４から指示された運転内容で運転を実行する。また、リモコン３は、タッチパネル等の表示部を備え、管理装置４から指示された運転内容を表示部に表示する。リモコン３の操作と管理装置４からの指示は後から入力されたものが優先される、いわゆる後押し優先、となっている。
【００１１】
図２は、実施形態におけるリモコン３の機能構成の一例を示す図である。
リモコン３は、通信部３１、リアルタイムクロックＩＣ３２、マイコン３３(制御部)、不揮発性メモリ３４、ＰＮＰ型の第１トランジスタ３５(半導体スイッチ)、スイッチ部３６、自己保持部３７及び起動補償部３８を備える。
【００１２】
リモコン３は、２本の直流の電源ライン２０（リモコン通信線２０）で室内機２−１と接続されている。この２本の電源ライン２０は、リモコン３と室内機２−１との通信ラインにも兼用されている。リモコン３と室内機２−１は、電源ライン２０の電圧に重畳した信号を送受信することで通信を行う。
通信部３１は、リモコン３と室内機２間で通信を行うため、この２本の電源ライン２０をまたがるように設けられる。なお、通信部３１は、室内機２−１と通信可能であればリモコン３が備える回路中のどこに位置してもよい。通信部３１は、例えば、室内機２−１から見てマイコン３３の後段に位置していてもよいし、図２に示すように通信部３１は、例えば、室内機２−１から見て第１トランジスタ３５の前段に位置していてもよい。この通信部３１は、マイコン３３に接続され、室内機２からの受信信号を成形してマイコン３３に入力する一方、マイコン３３から、室内機２-１に送信するための送信信号を受け取って、所定の波形に成形して電源ライン２０に流す。通信部３１は、マイコン３３が動作していない時は何ら動作せず、電力消費もない。
【００１３】
リアルタイムクロックＩＣ３２は、単独で動作可能な極低消費電力の時計である。リアルタイムクロックＩＣ３２は、蓄電池となるスーパーキャパシタを備え、電源ライン２０からの電力供給が絶たれても少なくとも数日間は動作し、時間をカウントする。なお、単独で動作可能とは、電源ライン２０を介した電力の供給を受けなくても動作可能ということを意味する。
【００１４】
リモコン３には、その表面に複数の操作スイッチが備えられる。スイッチ部３６は、リモコン３が備える複数の操作スイッチを備える。スイッチ部３６が備える複数の操作スイッチのひとつは、空気調和装置の運転開始を指示する運転開始スイッチ３０５である。
マイコン３３がＯＦＦ状態にある場合には、運転開始スイッチ３０５が押圧されると、第１トランジスタ３５が導通状態になる。すなわち、運転開始スイッチ３０５によって、第１トランジスタ３５を非導通状態から導通状態に切り替えられる。これによりマイコン３３がＯＮ状態になる。マイコン３３のＯＦＦ状態とは、マイコンが動作を停止している状態である。マイコン３３のＯＮ状態とは、マイコン３３が動作している状態である。マイコン３３は、電力が供給されていないとＯＦＦ状態であり、電力が供給されているとＯＮ状態に変化する。
マイコン３３がＯＦＦ状態にある場合に、使用者により運転開始スイッチ３０５が押圧されると、マイコン３３はＯＮ状態になった後、室内機２へ運転信号を送信する。
なお、運転開始スイッチ３０５に対する操作によって通信部３１から室内機２に送信される運転信号は、室内機２の運転を開始させるための運転開始信号であり、かつ、運転開始信号は、例えば、冷暖房などの室内機２−１の動作モードの指示を示す信号及びその設定温度を示す信号を含む。冷暖房などの室内機２−１の動作モードの指示を示す信号及びその設定温度を示す信号も通信部３１が室内機２−１に送信する必要があるため、マイコン３３は、運転開始に際しては、これらの指示を組み合わせて通信部３１に送信信号の指示を行う。
【００１５】
スイッチ部３６が備えるスイッチには、運転開始スイッチ３０５の他に、室内機２の動作の停止を示す信号（以下「停止信号」という。）を出力指示するための運転停止スイッチ３０６がある。運転停止スイッチ３０６が押圧されると、マイコン３３は、これを検出して室内機２の運転を停止させるための停止信号の室内機２への出力を通信部３１に指示する。
運転開始スイッチ３０５及び運転停止スイッチ３０６のいずれも、それぞれがユーザによって押圧されると接点が閉じ、押圧解除されると接点が開く押しボタンスイッチである。
【００１６】
マイコン３３は、運転開始スイッチ３０５及び運転停止スイッチ３０６以外の各種スイッチについても、マイコン３３がＯＮ状態であれば、操作されたスイッチを判別して、そのスイッチに対応した信号を室内機２−１に出力するよう通信部３１に指令する。
【００１７】
マイコン３３は、バスで接続されたＣＰＵ（Central Processing Unit）やメモリや補助記憶装置などを備え、プログラムを実行する。マイコン３３は、プログラムの実行によって室内機２−１及びリモコン３の動作を制御する。
マイコン３３は、スイッチ部３６の備える運転停止スイッチ３０６に対する押圧操作を検出して、停止信号の送信を通信部３１に指示する。通信部３１からの停止信号を受けた室内機２−１は動作を停止するとともに、他のすべての室内機２に停止信号を送信して、停止させる。各室外機１と接続されている室内機２は、室内外通信線１０を介して室外機１に対して停止信号を送信し、室外機１も停止させる。
以下、マイコン３３が運転停止スイッチ３０６に対する押圧操作を検出してから、室内機２及び室外機１が停止するまでの空気調和装置１００において実行される処理を停止処理という。
マイコン３３は、停止処理の後に、本実施形態の特徴とするリモコン３の動作の停止に関する条件（以下「省電力停止条件」という。）が満足された場合に、省電力処理を実行する。マイコン３３が省電力処理を実行することにより、リモコン３の消費電力はほぼ“０”になる。ここで完全に“０”にならないのは、前述のリアルタイムクロックＩＣ３２が常に動作を継続しているため、このＩＣ３２での消費電力がごくわずかに発生するためである。リモコン３が時計を必要としない、もしくはマイコン３３が動作開始の都度、他の外部機器から現時間データを入手可能に構成すれば、リアルタイムクロックＩＣ３２をなくすことができるため、消費電力を完全に“０”とすることができる。
ここで、省電力停止条件は、例えば、スイッチ部３６が備える運転停止スイッチ３０６の押圧操作をマイコン３３が検出してから、またはマイコン３３が停止信号の送信を通信部３１に指示してから、所定の時間が経過したという条件である。所定の時間は例えば１０分でよいが、停止後に使用者から短時間で運転操作がなされることが多いので、少なくとも５分以上が望ましい。
マイコン３３は、省電力処理の実行によって、自己保持部３７の自己保持を解除する。自己保持部３７は、第１トランジスタ３５を継続的にＯＮさせる回路であり、マイコン３３によって自己保持部３７における自己保持が解除されると、第１トランジスタ３５はＯＦＦとなる。第１トランジスタ３５のＯＮとは、第１トランジスタ３５が導通状態にあることを意味する。第１トランジスタ３５のＯＦＦとは、第１トランジスタ３５が非導通状態にあることを意味する。
【００１８】
不揮発性メモリ３４は、半導体記憶装置などの記憶装置を用いて構成される不揮発性メモリである。不揮発性メモリ３４は、室内機２−１〜２−Ｍを識別する識別子を示す室内機識別子情報と、室内機２の動作モードや設定温度等の室内機２の動作に関する情報を示す室内機動作関連情報と、リモコン３が省電力停止したか否かを示す省電力停止情報とを記憶する。省電力停止とは、前述の省電力停止条件が満たされた状態でマイコン３３が自己保持部３７の自己保持を解除し、自らの電源を遮断して、マイコン３３の動作を停止することである。マイコン３３が停止すれば、タッチスイッチなどの表示部の動作も停止する。マイコン３３は、自ら停止する直前に不揮発性メモリ３４に省電力停止情報を記憶させる。
【００１９】
第１トランジスタ３５は、コレクタに室内機２−１からの電源ライン２０の一方が接続され、エミッタとベース間に自己保持部３７が接続され、ベースに起動補償部３８が接続されたバイポーラトランジスタである。さらに第１トランジスタ３５のベースは、スイッチ部３６が備える運転開始スイッチ３０５を介して電源ライン２０の他方に接続されている。第１トランジスタ３５のエミッタには、自己保持部３７及びマイコン３３の電源入力端が並列に接続されている。第１トランジスタ３５のベース電圧が低下すると、第１トランジスタ３５のエミッタを介して電源ライン２０から自己保持部３７及びマイコン３３へ電力が供給される。
【００２０】
スイッチ部３６が備える運転開始スイッチ３０５は、第１トランジスタ３５とグランド間に挿入されている接点である。運転開始スイッチ３０５が押圧されると、接点である運転開始スイッチ３０５が閉じて第１トランジスタ３５のベース電圧が低下し、第１トランジスタ３５が導通状態となる。
【００２１】
自己保持部３７は、第１トランジスタ３５のエミッタとベース間に接続される。自己保持部３７は、マイコン３３からの指示で第１トランジスタ３５のベース電圧をグランドレベルに低下させる。この結果、マイコン３３が動作中は、第１トランジスタ３５は導通状態に保持され、室内機２−１からマイコン３３へ電力の供給が行われている限りリモコン３の動作状態が保持される。以下、室内機２−１からマイコン３３へ電力の供給が行われているリモコン３の動作状態をリモコン３のＯＮ状態という。
自己保持部３７は、マイコン３３から電源遮断信号を受けると、ＯＮ状態を解除する。電源遮断信号は、マイコン３３が自己保持部３７に出力する信号であって、自己保持部３７のＯＮ状態の解除に関する信号である。自己保持部３７がＯＮ状態を解除すると、第１トランジスタ３５のベース電圧が上がり、第１トランジスタ３５が導通状態となり、自己保持部３７及びマイコン３３への電力供給が停止し、室内機２−１からマイコン３３への電力の供給が行われなくなる。以下、室内機２−１からマイコン３３への電力の供給が行われなくなる状態をリモコン３のＯＦＦ状態という。
【００２２】
第１トランジスタ３５が非導通状態にある時に、電源ライン２０を介した電力供給が開始されると、その電圧の立ち上がりを受けて、第１トランジスタ３５は、短時間だけ導通状態になる。この導通状態を受けてマイコン３３が動作開始する。マイコン３３の動作開始の後、リモコン３のＯＮ状態が維持されるためには、マイコン３３の動作開始の後自己保持部３７を動作させるまでの期間において第１トランジスタ３５の導通状態が維持される必要がある。マイコン３３の動作開始の後、自己保持部３７を動作させるまでの期間における第１トランジスタ３５の導通状態を維持する機能部が、起動補償部３８である。
起動補償部３８は、電源ライン２０による電力の供給の立ち上がりを受けてから所定の期間（以下「起動補償期間」という。）だけ第１トランジスタ３５を導通状態に維持する。起動補償部３８は、例えば、キャパシタであって、起動補償部３８に印加された電力によってキャパシタが充電されるまでの期間だけ、第１トランジスタ３５のべース電圧を低下させて導通状態にする。
【００２３】
このように、起動補償部３８は起動補償期間の間だけ第１トランジスタ３５を導通状態にする。そのため、起動補償期間以降は、起動補償部３８によっては、第１トランジスタ３５は導通状態を維持できない。しかしながら、リモコン３においては起動補償期間が過ぎる前にマイコン３３と自己保持部３７が動作を開始するため、起動補償期間以降の期間においても室内機２−１からマイコン３３へ電力の供給が行われる。そのため、起動補償期間以降であってもリモコン３の動作状態が保持される。
このようにして、リモコン３は、起動補償期間以降も室内機２−１による電力供給を受けることができる。なお、第１トランジスタ３５が導通してからマイコン３３が動作開始して、自己保持部３７を動作させるまでの期間が、第１トランジスタ３５がＯＮ状態からＯＦＦ状態になるまでの時間よりも短ければ、リモコン３は起動補償部３８を備えなくてもよい。
【００２４】
図３は、実施形態におけるリモコン３における第１トランジスタ３５、スイッチ部３６、自己保持部３７及び起動補償部３８の具体的な回路構成を示す図である。
以下、図２と同様の機能を持つものは同じ符号を付すことで説明を省略する。
【００２５】
リモコン３は、通信部３１、リアルタイムクロックＩＣ３２、マイコン３３、不揮発性メモリ３４、第１トランジスタ３５、補償部キャパシタ３０１、第２トランジスタ３０２、第３トランジスタ３０３、第４トランジスタ３０４、運転開始スイッチ３０５及び運転停止スイッチ３０６等を備える。
【００２６】
第１トランジスタ３５のコレクタは電源ライン２０を介して、室内機２−１が有する１５Ｖ程度の直流電圧を発生させる電源２０１の一端に接続される。第１トランジスタ３５のコレクタは抵抗３１０−１を介して第１トランジスタ３５のベースに接続される。電源２０１の他端は電源ライン２０を介して接地される。
室内機２−１は、電源２０１に加え、室内制御部２１０によってこの電源２０１を電源ライン２０から切断(開放)することができるスイッチ２０２を備える。なお、スイッチ２０２は図３に示すようなリレーでもよいし、電源２０１の出力電圧の発生そのものをオン／オフ切換えする制御回路でも良い。室内機２−１は、室内機２―１内の機器を制御する室内制御部２１０を備える。室内制御部２１０は、さらに、室外機１との間で信号を通信するとともに、リモコン３と通信するために電源２０１に並列接続された通信部２０５と接続され、この通信部２０５とリモコン３の通信部３１との間の通信信号を制御する。
起動補償部３８は、補償部キャパシタ３０１と１つの抵抗３０１−２によって構成される。補償部キャパシタ３０１は、キャパシタであって、抵抗３１０−２を介して第１トランジスタ３５のベースに接続される。
自己保持部３７は、第２トランジスタ３０２、第３トランジスタ３０３、第４トランジスタ３０４、複数の抵抗３１０−３、３１０−４、３１０−５及び３１０−６、及びキャパシタ３１０−８で構成される。第２トランジスタ３０２はＮＰＮ型のバイポーラトランジスタである。第２トランジスタのコレクタは、抵抗３１０−５を介して第１トランジスタ３５のコレクタに接続される。第２トランジスタ３０２のベースはマイコン３３の出力端子の１つに接続される。マイコン３３がこの端子から電源遮断信号となる所定電圧を出力すると、第２トランジスタ３０２のベースに電圧が印加され、第２トランジスタ３０２が導通状態に移行する。また、第２トランジスタ３０２のエミッタは、キャパシタ３１０−８を介して接地される。
第３トランジスタ３０３はバイポーラトランジスタである。第３トランジスタ３０３のコレクタは、抵抗３１０−３を介して第１トランジスタ３５のエミッタに接続される。第３トランジスタ３０３のベースは、抵抗３１０−６を介して第２トランジスタ３０２のエミッタに接続される。第３トランジスタ３０３のエミッタは接地（エミッタ接地）される。第３トランジスタ３０３のベースには、第２トランジスタ３０２が導通状態になると電圧が印加される。第３トランジスタ３０３はベースに電圧が印加されている場合、導通状態である。
【００２７】
第４トランジスタ３０４は、バイポーラトランジスタである。第４トランジスタ３０４のコレクタは、抵抗３１０−７を介して第１トランジスタ３５のベースに接続される。第４トランジスタ３０４のベースは、第３トランジスタ３０３のコレクタに接続される。第４トランジスタ３０４のエミッタは、接地される。また、第４トランジスタ３０４のベースは、抵抗３１０−４を介して接地される。第４トランジスタ３０４は、第３トランジスタ３０３が導通状態である場合、ベースが接地されるため非導通状態である。逆に、第４トランジスタ３０４は、第３トランジスタ３０３が非導通状態である場合、ベースに電圧が印加されるため導通状態である。
運転開始スイッチ３０５は、一端が第４トランジスタ３０４のコレクタに接続され、他端が接地された押し釦型のスイッチである。
【００２８】
＜回路動作の説明＞
リモコン３の回路動作を説明する。
以下説明の簡単のため、回路動作を時系列に説明する。なお、説明の簡単のため時系列に回路の動作を説明するが、実際には、略同一の時刻に生じる動作がほとんどである。
図４は、実施形態における電源２０１がＯＦＦである状態から電源２０１がＯＮの状態になった場合のリモコン３及び電源２０１の動作を説明するタイムチャートである。ここで、電源２０１がＯＦＦである状態とは、室内機２−１に電力が供給されておらず、室内機２−１の動作が停止している状態である。電源２０１がＯＮの状態とは、室内機２−１に電力が供給され、室内機２−１が動作する状態である。また、電源２０１がＯＦＦの状態である場合には、室内機２−１に電力が供給されていないため、リモコン３にも電力が供給されない。そのため、電源２０１がＯＦＦの状態である場合には、当然、リモコン３もＯＦＦ状態にある。
図４は、より具体的には、時刻ｔ１以前に電源２０１はＯＮ状態であったことは無い場合であって、電源２０１がＯＦＦである状態から電源２０１がＯＮの状態になった場合におけるリモコン３及び電源２０１の動作を説明するタイムチャートである。時刻ｔ１以前に電源２０１はＯＮ状態であったことは無いため、時刻ｔ１以前に不揮発性メモリ３４には、室内機識別子情報、室内機動作関連情報及び省電力停止情報は記憶されていない。
以下、電源２０１がＯＦＦである状態を電源２０１のＯＦＦ状態という。以下、電源２０１がＯＮである状態を電源２０１のＯＮ状態という。
【００２９】
図４は横軸が時刻を表す。時刻ｔ１、時刻ｔ２、時刻ｔ３、時刻ｔ４、時刻ｔ５及び時刻ｔ６の間の関係は、ｔ１＜ｔ２＜ｔ３＜ｔ４＜ｔ５＜ｔ６である。
図４において“室内機電源”のグラフは、電源２０１の電圧を表す。“室内機電源”のグラフにおける“高”は、電源２０１がＯＮ状態であることを示す。“室内機電源”のグラフにおける“０”は、電源２０１がＯＦＦ状態であることを示す。
図４において“第１トランジスタＯＮ／ＯＦＦ状態”のグラフは、第１トランジスタ３５の状態の変化を表す。“第１トランジスタＯＮ／ＯＦＦ状態”のグラフにおける“ＯＮ”は、第１トランジスタ３５が導通状態であることを示す。“第１トランジスタＯＮ／ＯＦＦ状態”のグラフにおける“ＯＦＦ”は、第１トランジスタ３５が非導通状態であることを示す。
“第４トランジスタＯＮ／ＯＦＦ状態”のグラフにおける“ＯＮ”は、第４トランジスタ３０４が導通状態であることを示す。“第４トランジスタＯＮ／ＯＦＦ状態”のグラフにおける“ＯＦＦ”は、第４トランジスタ３０４が非導通状態であることを示す。
【００３０】
図４において“キャパシタ電圧”のグラフは、補償部キャパシタ３０１の電圧の変化を表す。“キャパシタ電圧”のグラフにおいて、実線は補償部キャパシタ３０１の電圧の変化を表す。“キャパシタ電圧”のグラフにおいて、時刻ｔ３以降の一点鎖線は、リモコン３が自己保持部３７を備えることによる補償部キャパシタ３０１の電圧の変化への影響を説明するための仮想線である。仮にリモコン３が自己保持部３７を備えない場合には、時刻ｔ３以降の補償部キャパシタ３０１の電圧の変化は、点線が表す変化となる。
図４において、“メモリ読み出し”のグラフは、マイコン３３が不揮発性メモリ３４から情報を読み出すことを表す。“メモリ読み出し”のグラフにおける“ＯＮ”は、マイコン３３が不揮発性メモリ３４から情報を読み出すことを示す。“メモリ読み出し”のグラフにおける“ＯＦＦ”は、マイコン３３が不揮発性メモリ３４からの情報読み出し状態にないことを示す。
【００３１】
図４において、“マイコンＯＮ／ＯＦＦ状態”のグラフは、マイコン３３の状態の変化を表す。“マイコンＯＮ／ＯＦＦ状態”のグラフにおける“ＯＮ”は、マイコン３３への電力の供給があり、リモコン３がＯＮ状態であることを示す。“マイコンＯＮ／ＯＦＦ状態”のグラフにおける“ＯＦＦ”は、マイコン３３への電力の供給が無く、リモコン３がＯＦＦ状態であることを示す。
図４において、“通信ＯＮ／ＯＦＦ状態”のグラフは、室内機２とマイコン３３との間の通信部３１を介した通信が行われるか否かを示す。“通信ＯＮ／ＯＦＦ状態”のグラフにおける“ＯＮ”は、室内機２とマイコン３３との間で通信部３１を介した通信が行われることを示す。“通信ＯＮ／ＯＦＦ状態”のグラフにおける“ＯＦＦ”は、室内機２とマイコン３３との間で通信部３１を介した通信が行われないことを示す。
【００３２】
時刻ｔ１に電源２０１がＯＦＦ状態からＯＮ状態に移行する。電源２０１がＯＮ状態になったため、時刻ｔ２(ほとんど時刻ｔ１との時間差はない)において第１トランジスタ３５が導通状態になり、第１トランジスタのエミッタ電流が流れるとともに、抵抗３１０−１及び抵抗３１０−２を経由して補償部キャパシタ３０１に電流が流れ込む。そのため、時刻ｔ２以降において補償部キャパシタ３０１の電圧が上昇し始める。
第１トランジスタのエミッタ電流は、抵抗３１０−３及び抵抗３１０−４を経由して接地先に流れ込む。そのため、第４トランジスタ３０４のベースに電圧が印加される。図４において、第４トランジスタ３０４のベースに電圧が印加される時刻が時刻ｔ３である。
第４トランジスタ３０４のベースに電圧が印加されたため、第４トランジスタ３０４は導通状態となる。導通状態の第４トランジスタ３０４は、第４トランジスタ３０４のエミッタ電流を流す。なお、この時はマイコン３３から電源遮断信号は出されていないため、第３トランジスタ３０３は非導通状態にある。
【００３３】
時刻ｔ３において第４トランジスタ３０４が導通状態となったため、補償部キャパシタ３０１の電圧はそれ以上上昇しない。この状態においても、第４トランジスタ３０４が導通状態であるため、抵抗３１０−１、抵抗３１０−７を経由して第４トランジスタ３０４に電流が流れる。そのため、第１トランジスタ３５は導通状態を維持する。以下、時刻ｔ３時点の補償部キャパシタ３０１の電圧を最大キャパシタ電圧という。
【００３４】
第１トランジスタ３５が導通状態であるため、時刻ｔ１以降はマイコン３３に電力が供給される。これによって、マイコン３３は、動作を開始し、時刻ｔ４でＯＦＦ状態からＯＮ状態に移行する。その後、時刻ｔ５において、マイコン３３は、不揮発性メモリ３４に記憶された情報を読み出す。続いて時刻ｔ６において、マイコン３３内部の初期処理が完了し、室内機２とマイコン３３との間の通信部３１を介した通信が開始される。
【００３５】
このようにして、室内機２−１の電源２０１がＯＦＦ状態から室内機２−１の電源２０１がＯＮ状態になった場合に、リモコン３は起動することになる。リモコン３、すなわちマイコン３３、がＯＮ状態に移行した後の動作は図９のフローチャートを用いて詳細をまとめて説明する。
【００３６】
図５は、実施形態における電源２０１がＯＮ状態の場合のもとで、省電力停止条件が満たされた場合に、リモコン３がＯＦＦ状態に移行する時のリモコン３及び電源２０１の動作を説明するタイムチャートである。
【００３７】
図５は横軸が時刻を表す。時刻ｔ７、時刻ｔ８、時刻ｔ９、時刻ｔ１０、時刻ｔ１１及び時刻ｔ１２の間の関係は、ｔ７＜ｔ８＜ｔ９＜ｔ１０＜ｔ１１＜ｔ１２である。
図５において“第４トランジスタＯＮ／ＯＦＦ状態”のグラフは、第４トランジスタ３０４の状態の変化を表す。“第４トランジスタＯＮ／ＯＦＦ状態”のグラフにおける“ＯＮ”は、第４トランジスタ３０４が導通状態であることを示す。“第４トランジスタＯＮ／ＯＦＦ状態”のグラフにおける“ＯＦＦ”は、第４トランジスタ３０４が非導通状態であることを示す。
図５において“電源遮断信号”のグラフは、マイコン３３から自己保持部３７の第２トランジスタ３０２に対して出力する電源遮断信号の変化を表す。図５において、“第２トランジスタＯＮ／ＯＦＦ状態”のグラフは、第２トランジスタ３０２の状態の変化を表す。“第２トランジスタＯＮ／ＯＦＦ状態”のグラフにおける“ＯＮ”は、第２トランジスタ３０２が導通状態であることを示す。“第２トランジスタＯＮ／ＯＦＦ状態”のグラフにおける“ＯＦＦ”は、第２トランジスタ３０２が非導通状態であることを示す。
図５において“第３トランジスタＯＮ／ＯＦＦ状態”のグラフは、第３トランジスタ３０３の状態の変化を表す。“第３トランジスタＯＮ／ＯＦＦ状態”のグラフにおける“ＯＮ”は、第３トランジスタ３０３が導通状態であることを示す。“第３トランジスタＯＮ／ＯＦＦ状態”のグラフにおける“ＯＦＦ”は、第３トランジスタ３０３が非導通状態であることを示す。
【００３８】
図５において、“メモリ書き込み”のグラフは、マイコン３３が不揮発性メモリ３４に情報を書き込むことを表す。“メモリ書き込み”のグラフにおける“ＯＮ”は、マイコン３３が不揮発性メモリ３４に情報を書き込むことを示す。“メモリ書き込み”のグラフにおける“ＯＦＦ”は、マイコン３３が不揮発性メモリ３４に情報を書き込まないことを示す。
図５において電源２０１はＯＮ状態にある。時刻ｔ７において省電力停止条件が満たされたとマイコン３３が判断すると、時刻ｔ７においてマイコン３３は、室内機２との間の通信部３１を介した通信を終了する。この際、マイコン３３は、室内機２に対して、自ら動作を停止する旨の信号を送信してもよい。
時刻ｔ８において、マイコン３３は、時刻ｔ７における室内機２−ｍの識別子、すなわち、アドレス情報、を室内機識別子情報として不揮発性メモリ３４に記録する。さらに、マイコン３３は時刻ｔ７における室内機２−１の動作に関する情報を室内機動作関連情報として不揮発性メモリ３４に記録する。これらに併せて、マイコン３３は、省電力のために自らを停止したということを記録するための省電力停止情報を不揮発性メモリ３４に記録する。
このように、不揮発性メモリ３４には、リモコン３への電力の供給を遮断する直前の時点において、再度動作開始する場合に必要となる各種情報が記憶される。
【００３９】
時刻ｔ９において、マイコン３３は、電源遮断信号を出力する。マイコン３３が電源遮断信号を出力すると第２トランジスタ３０２のベースに電圧が印加され第２トランジスタ３０２が導通状態に移行する。第２トランジスタ３０２が導通状態となり第２トランジスタ３０２がエミッタ電流を流すため、時刻ｔ１０において、第３トランジスタ３０３のベースに電圧が印加される。ベースに電圧が印加されるため、第３トランジスタ３０３が導通状態に移行する。
第３トランジスタ３０３が導通状態となるため、第３トランジスタ３０３のコレクタの電圧が０に略同一になる。そのため、第３トランジスタ３０３のコレクタに接続された第４トランジスタ３０４のベースへの電圧の印加がなくなり、第４トランジスタ３０４は、時刻ｔ１１において非導通状態に移行する。
【００４０】
第４トランジスタ３０４が非導通状態であり、補償部キャパシタ３０１の電圧が最大キャパシタ電圧となっているため、抵抗３１０−１には電流が流れない。そのため、時刻ｔ１２において、第１トランジスタ３５は非導通状態に移行する。第１トランジスタ３５が非導通状態に移行するため、時刻ｔ１２において、第１トランジスタ３５はエミッタ電流を流さなくなる。
第１トランジスタ３５が非導通状態に移行するとマイコン３３に電力が供給されなくなるため、時刻ｔ１２においてマイコン３３は動作を停止し、第２トランジスタ３０２及び第３トランジスタ３０３も非導通状態に移行する。この時刻ｔ１０〜ｔ１２は極めて短い時間であり、ほぼ同時に進行する。ここでは、マイコン３３は、電源遮断によって動作を停止させたが、それ以前の時刻ｔ１０〜ｔ１１で自ら動作を停止させてもよい。
【００４１】
なお、電源２０１はＯＮ状態にあるため、抵抗３１０−１に電流が流れなくても、補償部キャパシタ３０１の電圧は最大キャパシタ電圧よりも上昇して安定する。
【００４２】
このようにして、電源２０１がＯＮ状態の場合であって、省電力停止条件が満たされた場合に、電源２０１がＯＦＦ状態に移行することなくリモコン３は自らＯＦＦ状態に移行し、消費電力、すなわち待機電力、を低減する。
【００４３】
図６は、実施形態における電源２０１がＯＮ状態である場合に、それまでＯＦＦ状態であったリモコン３が、使用者の運転開始スイッチ３０５の操作によってＯＮ状態に移行する際のリモコン３及び電源２０１の動作を説明するタイムチャートである。説明を簡単にするため、図６において、リモコン３は、時刻ｔ１３においてスイッチ部３６の運転開始スイッチ３０５が操作されたと仮定している。
図６は横軸が時刻を表す。時刻ｔ１３、時刻ｔ１４、時刻ｔ１５、ｔ１６及び時刻ｔ１７の間の関係は、ｔ１３＜ｔ１４＜ｔ１５＜ｔ１６＜ｔ１７である。
【００４４】
図６において“スイッチＯＮ／ＯＦＦ状態”のグラフは、スイッチ部３６に対する操作が行われる時刻を表す。“スイッチＯＮ／ＯＦＦ状態”のグラフにおける“ＯＮ”は、運転開始スイッチ（ボタン）３０５の押圧が行われたことを表す。“スイッチＯＮ／ＯＦＦ状態”のグラフにおける“ＯＦＦ”は、運転開始スイッチ３０５が押圧されていないことを表す。
図６において電源２０１はＯＮ状態にあり、マイコン３３はＯＦＦ状態にある。時刻ｔ１３において、運転開始スイッチ３０５が押圧されると、第４トランジスタ３０４のコレクタが接地され、第１トランジスタ３５が導通状態に移行する。具体的には、時刻ｔ１３において、第１トランジスタ３５のベースに電流が流れ、第１トランジスタ３５がエミッタ電流を流す。続いて、図４に示す回路の動作と同様の動作によって、第４トランジスタ３０４が導通状態に移行する。具体的には、時刻ｔ１４において、第４トランジスタ３０４のベースに電圧が印加され、第４トランジスタ３０４がエミッタ電流を流す。図４に示す回路の動作と同様の動作によって、時刻ｔ１５において、マイコン３３がＯＦＦ状態からＯＮ状態になる。
図４に示す回路の動作と同様の動作によって、時刻ｔ１６において、マイコン３３は、不揮発性メモリ３４に記憶された室内機識別子情報、室内機動作関連情報及び省電力停止情報を読み出す。
図４に示す回路の動作と同様の動作によって、時刻ｔ１７において、室内機２とマイコン３３との間の通信部３１を介した通信が開始される。
【００４５】
電源２０１はＯＮ状態にあるため、抵抗３１０−１に電流が流れなくても、補償部キャパシタ３０１の電圧は最大キャパシタ電圧のままである。そのため、図６において補償部キャパシタ３０１の電圧は、時刻によらず最大キャパシタ電圧である。
【００４６】
このようにして、使用者の運転開始スイッチ３０５の操作によって、それまでＯＦＦ状態であったリモコン３が短時間でＯＮ状態に移行することができる。リモコン３、すなわち、マイコン３３がＯＮ状態に移行した後の動作は図９のフローチャートを用いて詳細を後述する。
【００４７】
図７は、リモコン３がＯＦＦ状態の時に管理装置４から室内機２に運転指示が入力された場合におけるリモコン３及び電源２０１の動作を説明するタイムチャートである。これは、マイコン３３が待機電力削減のためにＯＦＦ状態になっている場合に、室内機２側からリモコン３のマイコン３３をＯＮさせる動作である。
時刻ｔ１８において管理装置４から室内機２に運転指示が入力されると仮定する。
図７は横軸が時刻を表す。時刻ｔ１８、時刻ｔ１９、時刻ｔ２０、時刻ｔ２１及び時刻ｔ２２の間の関係は、ｔ１８＜ｔ１９＜ｔ２０＜ｔ２１＜ｔ２２である。
時刻ｔ１８に管理装置４から室内機２に運転指示が入力されると、この情報を受けて室内機２の室内制御部２１０は、直後の時刻ｔ１９において、スイッチ２０２を開放状態に操作して、電源２０１を一旦ＯＦＦ状態にする。なお、室内機２に電力が供給されている限り、電源２０１は所定の直流電圧を出力しており、スイッチ２０２には、常閉タイプが用いられている。
【００４８】
続いて、時刻ｔ１９から短時間が経過した時刻ｔ２０において、室内機２の室内制御部２１０は、スイッチ２０２をオン(閉成)して電源２０１からリモコン３に電力を供給する。時刻ｔ１９から時刻ｔ２０の処理によって、補償部キャパシタ３０１が放電する。
時刻ｔ２０から時刻ｔ２５までの動作は、図４における時刻ｔ１から時刻ｔ６までの動作と同じである。具体的には、時刻ｔ２１に第１トランジスタ３５が導通状態になる。実際には時刻ｔ２０と時刻２２はほとんど同時である。時刻ｔ２２に、第４トランジスタ３０４が導通状態になる。時刻ｔ２３において、マイコン３３がＯＮ状態になる。ＯＮ状態になったマイコン３３は、時刻ｔ２４において、不揮発性メモリ３４に記憶された室内機識別子情報、室内機動作関連情報及び省電力停止情報を取得する。
ただし、図４の場合と異なり、この場合は、それ以前にリモコン３が自らＯＦＦ（停止)していることから、不揮発性メモリ３４には室内機識別子情報、室内機動作関連情報及び省電力停止情報が記憶されている。そのため、時刻ｔ２４においてマイコン３３は、不揮発性メモリ３４に記憶された室内機識別子情報、室内機動作関連情報及び省電力停止情報を取得する。
【００４９】
このようにして、リモコン３がＯＦＦ状態の時に管理装置４から室内機２に運転指示が入力された場合には、電源２０１の通電状態を制御することでリモコン３をＯＮ状態に移行させる。ＯＮ状態に移行後の動作は図９のフローチャートを用いて詳細を後述する。
【００５０】
図８は、実施形態におけるマイコン３３の機能構成の一例を示す図である。
マイコン３３は、入力判定部３３１、初期化処理実行部３３２、停止信号取得判定部３３３、省電力停止条件判定部３３４、運転信号取得判定部３３５及び内部タイマー３３６を備える。
【００５１】
入力判定部３３１は、スイッチ部３６を介して入力される操作指示と、室内機２を経由した管理装置４からの運転指示との少なくとも一方が入力されたか否かを判定する。
初期化処理実行部３３２は、初期化処理を実行する。初期化処理とは、リモコン３が室内機２−１〜２−Ｍと通信を行うことで、リモコン３が各室内機２の識別子を取得する処理である。
停止信号取得判定部３３３は、マイコン３３がスイッチ部３６の運転停止スイッチ３０６の押圧に基づき発生する停止信号を取得したか否かを判定する。
省電力停止条件判定部３３４は、省電力停止条件が満たされたか否かを判定する。内部タイマー３３６は、省電力停止条件判定部３３４の指示に基づき時間カウントを開始するタイマーであり、この内部タイマー３３６の計時出力により省電力停止条件判定部３３４は、省電力停止条件を判断する。計時出力は、時間を示す。
運転信号取得判定部３３５は、マイコン３３がスイッチ部３６の運転開始スイッチ３０５の押圧に基づく運転信号を取得したか否かを判定する。
【００５２】
図９は、図４、図６及び図７において、実施形態におけるリモコン３がＯＦＦ状態からＯＮ状態に移行した後に空気調和装置１００において実行される処理の流れの一例を示すフローチャートである。図９は、Ｍが２以上の整数である場合のフローチャートを示す。以下、説明において各ステップＳ＊＊＊のステップの表記を省略して「Ｓ＊＊＊」と記載する。
リモコン３がＯＮ状態に移行すると、マイコン３３は不揮発性メモリ３４に記録された情報を読み出す（Ｓ１０１）。なお、マイコン３３は不揮発性メモリ３４に記録された情報を読み出した後、ＲＡＭ等の一時内部メモリに保存して、不揮発性メモリ３４のデータを消去する。
読み出した情報に、省電力停止情報がある場合（Ｓ１０２：ＹＥＳ）、入力判定部３３１は、スイッチ部３６を介して入力される運転指示と、管理装置４から室内機２への運転指示とのいずれが入力されたかを判定する（Ｓ１０３）。なお、省電力停止情報がある場合（Ｓ１０２：ＹＥＳ）とは、図６または図7におけるリモコン３のＯＮ状態への移行の場合である。
管理装置４からの運転指示が入力された場合（Ｓ１０３：ＹＥＳ）、リモコン３は室内制御部２１０を経由して送られてくる管理装置４からの運転指示内容である運転モードや設定温度、風量等を表示する（Ｓ１０４）。
室内機２−１〜２−Ｍは、管理装置４からの運転指示が示す運転モードや設定温度、風量等で動作する（Ｓ１０５）。図９においてＳ１０５の処理は、“運転”のみ記載した。
【００５３】
一方、Ｓ１０２において、省電力停止情報が無い場合（Ｓ１０２：ＮＯ）、初期化処理実行部３３２は、初期化処理を実行して（Ｓ１０６）、接続されている室内機２の台数やアドレスを確認して、操作もしくは指示待ちの待機状態となる。
Ｓ１０２において、省電力停止情報が無い場合とは、図4における最初の通電時もしくは、室内機２のブレーカーが落とされて電源が落ちた後、電力の供給が開始された場合を意味する。
【００５４】
一方、Ｓ１０３において、管理装置４から室内機２への運転指示が行われていない場合（Ｓ１０３：ＮＯ）、このケースは、図６におけるスイッチ部３６を介して入力される運転指示が行われた状況である。この場合、マイコン３３は、不揮発性メモリ３４から読みだして自らの内部メモリに保存した室内機動作関連情報を読み出す。マイコン３３は、保存している室内機動作関連情報が示す内容を表示する（Ｓ１０７）。ここで、室内機動作関連情報とは、運転モードや設定温度、風量等の室内機２が動作するための設定内容を意味する。
マイコン３３が読み出した室内機動作関連情報は、通信部３１を介して各室内機２に送信され、各室内機２は室内機動作関連情報が示す内容で運転を開始する（Ｓ１０８）。すなわち、リモコン３の表示部には、直前の運転で設定されていた運転モードや設定温度、風量等の設定内容が表示され、全室内機２は、直前の運転で設定されていた運転モードや設定温度、風量等の設定内容で運転動作を開始する。なお、図９においてＳ１０８の処理は、“運転”とのみ記載している。
【００５５】
図１０は、実施形態におけるリモコン３がＯＦＦ状態に移行する処理の流れの一例を示すフローチャートである。
停止信号取得判定部３３３が、マイコン３３が停止信号を取得したか否かを判定する（Ｓ２０１）。この停止信号は、スイッチ部３６の運転停止スイッチ３０６を介して入力される停止指示と、管理装置４から室内機２に対する停止指示の２つの場合がある。いずれの場合でもマイコン３３が停止信号を取得した場合（Ｓ２０１：ＹＥＳ）、各室内機２に停止指示を送る（Ｓ２０２）。この停止指示は、実際には接続されている室内機２−１に全室内機２を停止させるように通信によって指示する。この指示を受けて、全室内機２は、運転を停止する。
続いて、省電力停止条件判定部３３４が、省電力停止条件が満たされるか否かを判定する（Ｓ２０３）。ここで、省電力停止条件とは、Ｓ２０２で停止指示を出してからの時間経過、例えば、１５分間、どこからも運転指示が入らなかった場合である。この時間経過は、前述の内部タイマー３３６の計時出力によってカウントされ、その出力が省電力停止条件判定部３３４で判定される。この省電力停止条件が満たされた場合（Ｓ２０３：ＹＥＳ）、マイコン３３は不揮発性メモリ３４に室内機識別子情報、室内機動作関連情報及び省電力停止情報を記録する（Ｓ２０４）。なお、室内機動作関連情報とは、上述した空気調和装置の運転モードや設定温度、風量等の各種設定内容である。Ｓ２０４の次に、マイコン３３は、自己保持部における電源の自己保持を解除する電源遮断信号を出力する（Ｓ２０５）。マイコン３３が電源遮断信号を出力すると、マイコン３３に電力が供給されなくなり、リモコン３はＯＦＦ状態に移行する。なお、省電力停止条件は、空気調和装置の停止からの時間経過だけでなく、人体センサによる空調室内の人体の有無、室温、外気温度等の条件を加味しても良い。
【００５６】
Ｓ２０１において、マイコン３３がどこからも停止信号を取得していない場合（Ｓ２０１：ＮＯ）、リモコン３は動作を継続し、室内機２は“運転”を継続する（Ｓ２０６）。
一方、Ｓ２０３において、省電力停止条件が満たされる、すなわちＳ２０３でＹＥＳとなる前（Ｓ２０３：ＮＯ）に、運転信号取得判定部３３５は、マイコン３３が運転信号を取得したか否かを判定する（Ｓ２０７）。ここで、運転信号とは、スイッチ部３６の運転開始スイッチ３０５を介して入力される運転指示と、管理装置４から室内機２への運転指示の２つの場合がある。マイコン３３がいずれかの運転信号を取得した場合（Ｓ２０７：ＹＥＳ）、Ｓ２０６の処理が実行され、直前の運転で設定されていた運転モードや設定温度、風量等の設定内容で全室内機２の運転を開始する。なお、これらの設定内容は、マイコン３３の内部メモリに記憶されているものである。
一方、マイコン３３が運転信号を取得していない場合（Ｓ２０７：ＮＯ）、Ｓ２０３の省電力停止条件の判定に戻る。
【００５７】
このように、リモコン３は、省電力停止を行った場合には、室内機識別子情報、室内機動作関連情報及び省電力停止情報を不揮発性メモリ３４に記録するため、省電力停止からの起動時に初期化処理を実行することをなくすことができる。そのため、初期化処理に要する時間を不要にして、ユーザが、空気調和装置の起動を待つ時間を減らすことができる。
【００５８】
図１１は、実施形態における室内制御部２１０が実行する処理の流れの一例を示すフローチャートである。
室内制御部２１０は、室内制御部２１０とリモコン３との通信が成立しているか否かを判定する（Ｓ３０１）。通信が成り立っている場合（Ｓ３０１：ＹＥＳ）、室内制御部２１０は、リモコン３のマイコン３３は動作状態にあると判定し、室内制御部２１０はリモコン３からの指示信号（運転停止、設定変更等の指示）の受信の有無を判定する（Ｓ３０２）。リモコン３から指示信号の受信が有る場合（Ｓ３０２：ＹＥＳ）、室内制御部２１０は、指示信号が示す指示に従った動作を室内機２及び室外機１に実行させるように受信内容に応じた処理を実行する（Ｓ３０４）。Ｓ３０２において、リモコン３からの指示信号の受信が無い場合（Ｓ３０２：ＮＯ）、室内制御部２１０は管理装置４からの指示信号の受信の有無を判定する（Ｓ３０３）。管理装置４からの指示信号の受信が有る場合（Ｓ３０３：ＹＥＳ）、室内制御部２１０は、Ｓ３０４において、Ｓ３０３において取得した指示信号に応じた処理を実行する（Ｓ３０４）。具体的には、室内制御部２１０は、まずリモコン３に管理装置４からの指示を伝達する。管理装置４からの指示を取得したリモコン３は、取得した管理装置４からの指示に従って室内機２及び室外機１の動作を変更するよう室内機２及び室外機１を制御する。具体的には、リモコン３は、自らの表示を管理装置４の指示に従った表示内容に変更するとともに室内制御部２１０に対して、変更後の表示内容を送信する。Ｓ３０２からＳ３０３４の一連の流れによって、室内制御部２１０は、Ｓ３０２にて指示を受け取り、指示内容に従った動作を室内機２及び室外機１が実行するように室内機２及び室外機１を制御する。
一方、室内制御部２１０とリモコン３との通信が成立しない場合（Ｓ３０１：ＮＯ）、室内制御部２１０は、管理装置４からの指示信号の有無を判定する（Ｓ３０５）。なお、室内制御部２１０とリモコン３との通信が成立しない場合とは、例えば、リモコン３が待機状態にある場合である。
指示信号が無い場合（Ｓ３０５：ＮＯ）、室内制御部２１０は処理を終了して、Ｓ３０１の処理に戻る。
【００５９】
室内制御部２１０に対して管理装置４からの指示信号が有る場合（Ｓ３０５：ＹＥＳ）、室内制御部２１０は、電源２０１に直列に挿入されているスイッチ２０２をＯＦＦ（開放）する（Ｓ３０６）。Ｓ３０６の処理によりリモコン３への電源供給が停止する。Ｓ３０６の処理に続いて、室内制御部２１０は、室内制御部２１０に設けられている図示しない内部タイマーをカウント開始させる（Ｓ３０７）。続いて、室内制御部２１０は、室内制御部２１０が備える内部タイマーがタイムアップしたか否かを判定する（Ｓ３０８）。室内制御部２１０が備える内部タイマーがタイムアップしていない場合（Ｓ３０８：ＮＯ）、Ｓ３０８の処理に戻る。すなわち、室内制御部２１０は、内部タイマーがタイムアップするまでそのままの状態を維持する。
一方、内部タイマーがタイムアップすると（Ｓ３０８：ＹＥＳ）、室内制御部２１０はスイッチ２０２をＯＮ（閉成）させる（Ｓ３０９）。なお、室内制御部２１０が備える内部タイマーのカウント時間はせいぜい１秒程度で十分である。
Ｓ３０９の処理の結果、リモコン３への電源供給が再開され、リモコン３内のマイコン３３が起動し、リモコン３の動作が開始する。続いて、室内制御部２１０は、リモコン３に対して管理装置４からの指示内容を、通信部２０５を介して送信する（Ｓ３１０）。また、Ｓ３１０の処理において、リモコン３内のマイコン３３は、この管理装置４からの指示内容に基づき自らの表示を管理装置４の指示に従った表示内容に変更するとともに、室内制御部２１０に対して、その指示内容を送信する。
【００６０】
Ｓ３１０の処理に続きＳ３０１の処理が実行される。なお、Ｓ３１０の処理の実行後は、室内制御部２１０とリモコン３間の通信が成立している。そのため、Ｓ３０１はＹＥＳとなり、Ｓ３０２に移行する。続くＳ３０２では、Ｓ３１０において室内制御部２１０とリモコン３間の通信が成立しているため、ＹＥＳとなりＳ３０４へと移行するＳ３０４で、室内制御部２１０は、リモコン３からの受信信号に基づき、室内機２、室外機１をその指示に従った動作を行うよう制御する。
【００６１】
以上の通り、室内機２の室内制御部２１０は、外部装置である管理装置４の指示を受けてリモコン３の制御部であるマイコン３３が動作停止状態にある場合に、電源ライン２０によるリモコン３への電力供給を停止した後に電源ライン２０による電力供給を再開することでリモコン３のマイコン３３を起動することができる。したがって、マイコン３３が動作停止状態にあっても、室内機２側からマイコン３３を起動することが可能となる。
なお、Ｓ３０１における、リモコン３との間の通信が成立しないという判定は、マイコン３３からの通信信号の有無という判定方法以外の方法であってもよい。以下、リモコン３のマイコン３３が自ら省電力停止状態となる前に通信によって省電力停止状態に入ることを示す信号（以下「省電力停止状態通知信号」という。）を自ら室内制御部２１０に送信する処理を、省電力停止状態通知処理という。例えば、省電力停止状態通知処理が実行された場合、室内制御部２１０は、Ｓ３０１におけるリモコン３との間の通信が成立しないという判定を、省電力停止状態通知信号の受信の有無によって判定してもよい。
【００６２】
最後に、図１２は、実施形態におけるリモコン３の外観の一例を示す図である。
リモコン３は、表示部３２１、メニュースイッチ３２２、取り消しスイッチ３２３、温度操作スイッチ３２４、運転開始スイッチ３０５及び運転停止スイッチ３０６を備える。
表示部３２１は、指示内容を表示する。図１１においては、表示部３２１は、動作モードが冷房であることと、温度が２８℃であることとを表示している。
メニュースイッチ３２２、取り消しスイッチ３２３、温度操作スイッチ３２４、運転開始スイッチ３０５及び運転停止スイッチ３０６は、スイッチ部３６が備えるスイッチの一例である。
メニュースイッチ３２２が押圧されると、例えば、室内機２の動作モードを設定する画面が表示部３２１に表示される。取り消しスイッチ３２３が押圧されると、例えば、表示部３２１に表示されている画面が直前の画面に戻る。温度操作スイッチ３２４が押圧されると、室内機２の動作モードにおける温度の設定が変更される。
【００６３】
（変形例）
なお、Ｎ及びＭが１の場合には、もともと室内機２にアドレスを設定する必要がないため、初期化処理は不要であり、図９におけるＳ１０６は実行されなくてもよい。また、Ｎ及びＭが１の場合には、図１０の処理におけるＳ２０４の処理において、不揮発性メモリ３４に「省電力停止情報」を書き込む必要はない。
【００６４】
なお、第１トランジスタ３５、第２トランジスタ３０２、第３トランジスタ３０３又は第４トランジスタ３０４は、バイポーラトランジスタに代えてＦＥＴ（Field effect transistor）であってもよい。ただし、ＦＥＴの場合には、ゲートバイアス電圧が０Ｖで非導通状態になるエンハンスメント型を用いる。
【００６５】
なお、省電力停止条件は、例えば、リモコン３が運転／停止タイマーを備える場合には、次回の起動時刻を設定する運転タイマーが設定されていないという条件を加えてもよい。なお、省電力停止条件は、例えば、空気調和装置１００が備える機能部の異常や警報を検知する機能部をマイコン３３が備える場合、マイコン３３が空気調和装置１００が備える機能部の異常や警報を検知していないという条件を付加してもよい。
【００６６】
なお、マイコン３３は、リモコンがＯＦＦ状態からＯＮ状態に移行した場合、リアルタイムクロックＩＣ３２から時刻を示す情報を取得するようにしているが、運転／停止タイマーのような時刻が必要なければ、リアルタイムクロックＩＣ３２自体をなくしてもよい。
【００６７】
マイコン３３は制御部の一例である。なお、室内機動作関連情報は室内機に関する情報の一例である。自己保持は、自己保持部３７が第１トランジスタ３５の導通状態を保持する状態である。管理装置４は、外部装置の一例であり、インターネットを経由した遠方発停装置でもよい。時刻ｔ１９から時刻ｔ２０の期間は、一時電力供給停止期間の一例である。なお、マイコン３３がＯＦＦ状態である場合、リモコン３もまた動作を停止した状態にある。
【００６８】
以上説明した少なくともひとつの実施形態によれば、第１トランジスタ３５、スイッチ部３６、自己保持部３７及び起動補償部３８ことにより、リモコン３の待機電力を削減することができるとともに、常にリモコン３をＯＮさせている場合と比べても違和感のない操作性を維持することができる。
また、外部からの運転指示が入れば、リモコン３がＯＦＦ状態にあっても即座にＯＮ状態に移行させることができるので、この場合でも常にリモコン３をＯＮさせている場合と比べても違和感のない操作性を維持することができる。
【００６９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７０】
１００…空気調和装置、１−１〜１−Ｎ…室外機、２−１〜２−Ｍ…室内機、３…ワイヤードリモコン（リモコン）、４…管理装置、１０…室内外通信線、２０…リモコン通信線、３０…室内機通信線３０、３１…通信部、３２…リアルタイムクロックＩＣ、３３…マイコン(制御部)、３４…不揮発性メモリ、３５…第１トランジスタ、３６…スイッチ部、３７…自己保持部、３８…起動補償部、２０１…電源、２０２…スイッチ、２０５…通信部、２１０…室内制御部、３０１…補償部キャパシタ、３０２…第２トランジスタ、３０３…第３トランジスタ、３０４…第４トランジスタ、３０５…運転開始スイッチ、３０６…運転停止スイッチ、３３１…入力判定部、３３２…初期化処理実行部、３３３…停止信号取得判定部、３３４…省電力停止条件判定部、３３５…運転信号取得判定部、３２１…表示部、３２２…メニュースイッチ、３２３…取り消しスイッチ、３２４…温度操作スイッチ
【図１】
2020091081.tif 000003
【図２】
2020091081.tif 000004
【図３】
2020091081.tif 000005
【図４】
2020091081.tif 000006
【図５】
2020091081.tif 000007
【図６】
2020091081.tif 000008
【図７】
2020091081.tif 000009
【図８】
2020091081.tif 000010
【図９】
2020091081.tif 000011
【図１０】
2020091081.tif 000012
【図１１】
2020091081.tif 000013
【図１２】
2020091081.tif 000014